(57)【要約】【課題】通信ネットワークに複数のＣＡＤ操作装置を接続し、セキュリティを確保しつつ分担処理してＣＡＤ設計を効率良く進めることができるＣＡＤ図面作成システムを提供することである。【解決手段】ＣＡＤ図面作成制御装置５は、複数のＣＡＤ操作装置１５毎に割り振られ各ＣＡＤ操作装置１５の手順を制御する。各ＣＡＤ図面作成制御装置５は通信ネットワーク９を介してセンター装置１６と接続され、センター装置１６は、各ＣＡＤ操作装置１５のＣＡＤ図面作成時に必要な手順指令及びその際のデータ収集指令に関する制御プログラム情報４０を有し、その制御プログラム情報４０を通信ネットワーク９を介して各ＣＡＤ図面作成制御装置５へ伝送する。【選択図】  図１
2004280235.tif 000002
【特許請求の範囲】
【請求項１】
ＣＡＤ図面を作成する複数のＣＡＤ操作装置と、各ＣＡＤ操作装置毎に割り振られ各ＣＡＤ操作手順を制御するＣＡＤ図面作成制御装置と、各ＣＡＤ図面作成制御装置を繋ぐ通信ネットワークと、前記通信ネットワークに接続され各ＣＡＤ操作装置のＣＡＤ図面作成時に必要な手順指令及びその際のデータ収集指令に関する制御プログラム情報を通信ネットワークを介して各ＣＡＤ図面作成制御装置へ伝送するセンター装置とを備えたことを特徴とするＣＡＤ図面作成システム。
【請求項２】
前記制御プログラム情報は、ＣＡＤ図面作成の対象となる各ＣＡＤ操作装置毎に割り振られた情報領域であるノードを有し、各ノードは、ＣＡＤ図面作成対象となる各ＣＡＤ図面作成制御装置を識別するＩＤアドレスが記録されるアドレス領域と、各ＣＡＤ操作装置のＣＡＤ図面作成時に必要な手順指令及びその際のデータ収集指令に関するＣＡＤ図面ライブラリが記録されるアクション領域と、各ＣＡＤ操作装置のＣＡＤ図面作成結果が記録されるファームインフォ領域とを有し、前記ＣＡＤ図面作成制御装置は、伝送された制御プログラム情報のアドレス領域に記録されたＩＤアドレスに基づいて自己に割り振られたノードを認識し、伝達された自己に割り振られたノードに対応するアクション領域及びファームインフォ領域に記録された情報を複写し、前記複写されたアクション領域に記録されたＣＡＤ図面ライブラリに従って、各ＣＡＤ操作装置のＣＡＤ図面作成手順を制御し、ＣＡＤ図面作成に必要な操作情報のデータを取得するとともに、ＣＡＤ図面作成結果を自己のノードのファームインフォ領域に記録することを特徴とする請求項１に記載のＣＡＤ図面作成システム。
【請求項３】
前記センター装置は、複数のＣＡＤ操作装置で作成した設計データをＣＡＤ操作装置毎に対応した設計データに変換して個別設計データとして管理し、設計データ作成の作業と工程とを表した作業工程図を作成し、前記制御プログラム情報に前記作業工程図の情報を含めることを特徴とする請求項１又は請求項２記載のＣＡＤ図面作成システム。
【請求項４】
前記制御プログラム情報は、各ノードのファームインフォ領域に記録された各ＣＡＤ操作装置のＣＡＤ図面作成結果を通信ネットワークを介して前記センター装置に報告する報告機能を有し、前記センター装置は、制御プログラム情報の報告機能に基づいて、各ＣＡＤ操作装置毎に最適なＣＡＤ図面ライブラリを選択し、この最適なＣＡＤ図面ライブラリを制御プログラム情報に記録して各ＣＡＤ操作装置に伝送する最適ＣＡＤ図面ライブラリ選択機能を有することを特徴とする請求項２に記載のＣＡＤ図面作成システム。
【請求項５】
前記センター装置は、前記ＣＡＤ操作装置から送られてくる図面情報が妥当なものであるか否かを判断する図面チェック手段を備えたことを特徴とする請求項１に記載のＣＡＤ図面作成システム。
【請求項６】
前記図面チェック手段は、予め設定された図面作成者区分、各種の所定の演算式、不正な図面作成条件を知識データベースに基づいて図面の所定ポイントをチェックすることを特徴とする請求項５に記載のＣＡＤ図面作成システム。
【請求項７】
前記センター装置は、各ＣＡＤ操作装置のＣＡＤ図面作成結果を判定して最適な作成手順及び図面作成条件を盛り込んだＣＡＤ図面ライブラリを制御プログラム情報に記録して、この制御プログラム情報をＣＡＤ図面作成制御装置に伝送するプログラム補正手段を備えたことを特徴とする請求項５に記載のＣＡＤ図面作成システム。
【請求項８】
前記通信ネットワークと各ＣＡＤ図面作成制御装置との間に、各ＣＡＤ操作装置の基本手順が盛り込まれたＣＡＤ図面ライブラリを格納したＣＡＤ操作装置側記憶装置を設け、前記ＣＡＤ図面作成制御装置は、伝送された制御プログラム情報に基づいてＣＡＤ図面作成試行の際に生じる前記ＣＡＤ操作装置の仕様変更あるいは仕様追加があるか否かを判定し、仕様変更あるいは仕様追加がある場合は、伝送されてきたＣＡＤ図面ライブラリを破棄するとともに、前記ＣＡＤ操作装置側記憶装置に格納されたＣＡＤ図面ライブラリに基づいてＣＡＤ操作装置のＣＡＤ図面検索もしくは登録の制御を行うことを特徴とする請求項１乃至請求項７のいずれか１項に記載のＣＡＤ図面作成システム。
【請求項９】
前記センター装置は、制御プログラム情報のファームインフォ領域に記録された各ＣＡＤ操作装置のＣＡＤ図面作成結果に対して最適なＣＡＤ図面ライブラリを編集し、編集したＣＡＤ図面ライブラリを制御プログラム情報に記録して、この制御プログラム情報を各ＣＡＤ図面作成制御装置に伝送することを特徴とする請求項２記載のＣＡＤ図面作成システム。
【請求項１０】
前記ホストコンピュータは、前記複数のＣＡＤ操作装置の中のある特定のＣＡＤ操作装置から送られてくるＣＡＤ図面作成者等の資格が妥当なものである場合に、前記ＣＡＤ操作装置から送られてくる前記ＣＡＤ図面の属するＣＡＤ図面分類情報に基づき前記ＣＡＤ図面データベースからの検索取り出しあるいは前記ＣＡＤ図面データベースに格納することを特徴とする請求項１乃至請求項９のいずれか１項に記載のＣＡＤ図面作成システム。
【請求項１１】
前記ＣＡＤ図面作成者等の資格のチェック項目には、ＣＡＤ図面情報の提供を有償又は無償のいずれで行うかの課金情報が含まれることを特徴とする請求項１０に記載のＣＡＤ図面作成システム。
【発明の詳細な説明】
【０００１】
【発明の属する技術分野】
本発明は、ＣＡＤ図面に関するＣＡＤ図面及び設計情報を通信ネットワークを介して共有化するＣＡＤ図面作成システムに関するものである。
【０００２】
【従来の技術】
製品のセールス、製造、生産から販売に至る過程において、さまざまなＣＡＤ図面が作成され、各分野にて利用される。これらのＣＡＤ図面は、一括してセンターで集中管理され、必要な場所に必要とされるＣＡＤ図面が作成され設計情報を共有化し利用されるのが望ましい。この場合、セキュリティ、課金の有無条件、必要性の差等の関係で、特に、個々の部品毎に専門の設計者が専用のＣＡＤ操作装置を使用し分業の形で設計作業を進めることが多いので、個々の部品それぞれの設計者が作成する設計書あるいはＣＡＤ図面及び設計データは、管理が個別になされおり、個々の部品毎の設計情報を利用していないのが現状である。
【０００３】
最近では、ＣＡＤ図面情報は、インターネットのホームページ等を活用して、顧客に示すことで、顧客の要望に合致した製品の製造を行うものや、ネットワークを介して利用できる標準回路部品と設計ルールを用い、上流設計から下流設計へと品質の高いＣＡＤ図面を効果的に自動生成するものがある（例えば、特許文献１参照）。開発設計者はそのＣＡＤ図面ライブラリ情報を自ら入手し、別に管理されたデータベースシステム等により、仕様内容のチェック、あるいは設計に付随する各種設計条件のチェックを行っている。このようなＣＡＤ操作装置によるＣＡＤ図面作成は、ＣＡＤ図面作成者がＣＡＤ操作装置により、ＣＡＤ図面作成に必要なデータを採取して、この採取したデータに基づいて図面を作成することにより行われている。
【０００４】
また、種々のＣＡＤ操作装置は、各ＣＡＤ操作装置毎に設計条件に基づいてカスタマイズすると同時に、ＣＡＤ図面作成用のＣＡＤ図面ライブラリを記憶している記憶装置を配設して、ＣＡＤ操作装置に何らかの仕様変更あるいは仕様追加が発生してＣＡＤ操作装置のＣＡＤ図面を変更する必要が生じた場合には、記憶装置のＣＡＤ図面ライブラリのうち適切なＣＡＤ図面ライブラリが検索、選択されて、この選択されたＣＡＤ図面ライブラリに基づいてＣＡＤ図面を変更している。
【０００５】
【特許文献１】
特開２００２−４９６４７号公報
【０００６】
【発明が解決しようとする課題】
ところが、このようなＣＡＤ図面作成システムでは、ＣＡＤ操作装置のＣＡＤ図面作成に必要とされるＣＡＤ図面ライブラリ等の特別なプログラムやデータを、ＣＡＤ操作装置のＣＡＤ図面作成のために格納するデータ格納領域が必要とされるとともに、ＣＡＤ図面作成の際にＣＡＤ図面作成作業に関する指示を与える指示コマンドをＣＡＤ操作装置の各種装置に送信する必要がある。また、このようなＣＡＤ図面作成システムを採用している場合であっても、ＣＡＤ図面作成者がＣＡＤ図面作成制御装置の設置された現地に赴いてＣＡＤ図面作成作業を行う必要がある場合には、過大な労力が必要とされることも考えられる。
【０００７】
また、複数のＣＡＤ操作装置のＣＡＤ図面検索もしくは登録の制御を、各ＣＡＤ操作装置とは別に遠隔地あるいは近接地に設けた集中管理装置により行う場合には、以下のことが考えられる。すなわち、集中管理装置において各ＣＡＤ操作装置を遠隔操作する場合には、通常、ＣＡＤ操作装置により、仕様変更あるいは仕様追加に対応して単純なＣＡＤ図面作成作業を行うことは可能であるが、このような場合であっても、ＣＡＤ操作装置のＣＡＤ図面作成システムが大規模化する程、このようなＣＡＤ図面作成作業の負荷は過大となる。
【０００８】
また、ＣＡＤ操作装置の制御プログラム情報データを確実に保管するとともに検索自在とするデータ管理装置を用いた場合でも、このようなデータ管理装置は、制御プログラム情報のデータの保管及び保管されたデータの送信のみしか行うことができず、複数台のＣＡＤ図面作成制御装置の監視と、ＣＡＤ図面検索もしくは登録の制御に必要とされる制御プログラム情報の伝送とを有機的に結びつけることが難しい。
【０００９】
このように、ＣＡＤ図面の作成及び利用に対して、複雑なシステム設計においては、システムを構成する各部品の設計者の連繋作業が必要となる。また、個々に作成された各種ＣＡＤ図面を体系化するにあたっては、部門毎に開発された独立のデータベースを統合化するシステムを構築しなければならず、困難さを伴い、一般的に、統合化システムの構築のために膨大な時間と労力が費やされている。  本発明の目的は、通信ネットワークに複数のＣＡＤ操作装置を接続し、セキュリティを確保しつつ分担処理してＣＡＤ設計を効率良く進めることができるＣＡＤ図面作成システムを提供することにある。
【００１０】
【課題を解決するための手段】
本発明に係るＣＡＤ図面作成システムは、複数のＣＡＤ操作装置と、各ＣＡＤ操作装置毎に割り振られ各ＣＡＤ操作装置の手順を制御するＣＡＤ図面作成制御装置と、各ＣＡＤ図面作成制御装置を繋ぐ通信ネットワークと、通信ネットワークに接続され各ＣＡＤ操作装置のＣＡＤ図面作成時に必要な手順指令及びその際のデータ収集指令に関する制御プログラム情報を有するセンター装置とを備え、センター装置の有する制御プログラム情報を通信ネットワークを介して各ＣＡＤ図面作成制御装置へ伝送することを特徴とする。
【００１１】
また、センター装置には、複数のＣＡＤ操作装置で作成した設計データをＣＡＤ操作装置毎に対応した設計データに変換し、個別設計データを管理するリポジトリーを有し、作業と工程（投入シーケンスと工数入力）により作業工程図を自動的に作成し、作成された作業工程図に応じて、作業工程図の情報及びインタフェースのデータ及び条件を持ち運ぶ媒体を通信ネットワーク上を走らせることにより各工程の連繋を行い、通信ネットワーク加入者による検索及び登録・共有化を可能とするとともに、分散コンピューティング環境下における個別設計及びそれに対応した課金機構を具備する。
【００１２】
本発明によれば、ＣＡＤ操作装置のＣＡＤ図面作成に必要とされる制御プログラム情報は、センター装置から各ＣＡＤ図面作成制御装置へ通信ネットワークを介して伝送される。これにより、各ＣＡＤ操作装置のＣＡＤ図面作成は、各ＣＡＤ操作装置の特性に応じて迅速かつ効率的に行うことができ、さらに、各ＣＡＤ操作装置制御装置の設計の負荷を軽減するとともにＣＡＤ図面作成者の労力の軽減を図ることができる。
【００１３】
【発明の実施の形態】
（第１の実施の形態）
図１は本発明の第１の実施の形態に係るＣＡＤ図面作成システムの構成図である。図１に示すように、第１の実施の形態のＣＡＤ図面作成システム１は、ＣＡＤ図面を作成するための複数のＣＡＤ操作装置１５と、各ＣＡＤ操作装置１５毎に割り振られ各ＣＡＤ操作装置１５の操作手順を制御するＣＡＤ図面作成制御装置５と、各ＣＡＤ図面作成制御装置５をセンター装置１６に繋ぐ通信ネットワーク９とを備えている。ＣＡＤ操作装置１５はＣＡＤ図面作成装置３とＣＡＤ操作装置制御機器６とで構成され、センター装置１６は、遠隔制御装置側伝送装置１０、遠隔制御装置側記憶装置１１及びホストコンピュータ１４で構成されている。これにより、各ＣＡＤ図面作成制御装置５とセンター装置１６は、通信ネットワーク９により繋がれることとなる。
【００１４】
各ＣＡＤ操作装置１５のＣＡＤ図面作成装置３と各ＣＡＤ図面作成制御装置５との間には操作端末機４が介在し、また、各ＣＡＤ図面作成制御装置５は、選択切換装置８及びＣＡＤ操作装置側伝送装置７を介して通信ネットワーク９に接続され、選択切換装置８にはＣＡＤ操作装置側記憶装置１３が接続されている。
【００１５】
ＣＡＤ図面作成制御装置５は、内部回線３１により繋がれたＣＰＵ３２と、ＥＥＰＲＯＭ３３と、ＲＡＭ３４と、ＲＳ２３２Ｃ等の通信モジュール３５と、Ｉ／Ｏインタフェース３６とから構成されるマイコンシステムを内蔵している。ＥＥＰＲＯＭ３３は、プログラムやデータを電気的に消去及び書き込むことが可能となっており、通信モジュール３５は、ＣＡＤ操作装置側伝送装置７及び選択切換装置８から送られてくるＣＡＤ操作装置１５のＣＡＤ図面作成に関する制御プログラム情報の送受信を行うようになっている。
【００１６】
図２に示すように、センター装置１６を構成するホストコンピュータ１４は、図面チェック手段２０及び設計データ変換手段２１を有し、遠隔制御装置側記憶装置１１には、ＣＡＤ図面データベース２２、設計データベース２３、知識データベース２４、推論エンジン２５、ＣＡＤライブラリ２６が格納されている。ＣＡＤ図面ライブラリ２６は後述する制御プログラム情報のうち各ＣＡＤ操作装置１５のＣＡＤ図面作成時に必要な手順指令及びその際のデータ収集指令に関するライブラリである。
【００１７】
ホストコンピュータ１４の図面チェック手段２０は、ＣＡＤ操作装置１５から送られてくる図面情報をＣＡＤ図面データベース２２に格納された図面に関する基本情報と照合及び所定の演算式及び不正な図面作成条件をチェックすることにより図面が妥当なものであるか否かを判断する。設計データ変換手段２１は、ＣＡＤ操作装置１５で作成された設計データをＣＡＤ操作装置毎に対応した設計データに変換する。さらに、図面チェック手段２０は、予め設定された図面作成者区分及び応力計算、強度計算、建築基準法等の法規制情報に対応した所定の演算式及び不正な図面作成条件を知識データベース２４として格納するとともに、知識データベース２４及び推論エンジン２５に基づいて図面の所定ポイントをチェックする。
【００１８】
図３は、制御プログラム情報４０の説明図である。制御プログラム情報４０は、ＣＡＤ図面作成の対象となる各ＣＡＤ操作装置１５毎に割り振られた記録領域であるノード１、ノード２…を有しており、各ノード１、ノード２…は、ＣＡＤ図面作成対象となる各ＣＡＤ操作装置１５のＣＡＤ図面作成制御装置５を識別するＩＤアドレスが記録されるアドレス領域４２と、各ＣＡＤ操作装置１５のＣＡＤ図面作成手順を制御するＣＡＤ図面ライブラリが記録されるアクション領域４３と、各ＣＡＤ操作装置１５のＣＡＤ図面作成結果が記録されるファームインフォ領域４４とを有している。また、制御プログラム情報４０は、ホストコンピュータ１４を識別するＩＤアドレスが記録されるソースアドレス領域４２ａを有している。この制御プログラム情報４０は、ＣＡＤ操作装置１５のＣＡＤ図面作成時に必要とされるプログラムやデータを、通信ネットワーク９を介して、各ＣＡＤ図面作成制御装置５間及びセンター装置１６と各ＣＡＤ図面作成制御装置５との間で伝送するという性質を有するのでエージェントと呼ばれる。
【００１９】
次に、第１の実施の形態のＣＡＤ図面作成システム１によるＣＡＤ図面作成作業の全体の流れについて概説する。センター装置１６のホストコンピュータ１４は、ＣＡＤ図面作成対象となるＣＡＤ操作装置１５のＣＡＤ図面作成制御装置５のＩＤアドレスを、制御プログラム情報４０の各ノード１、ノード２…のアドレス領域４２に記録する。また、ホストコンピュータ１４は、遠隔制御装置側記憶装置１１に記憶されたＣＡＤ図面ライブラリ２６のうち、各ＣＡＤ操作装置１５のＣＡＤ図面作成の目的に応じた適切なＣＡＤ図面ライブラリ２６を選択して、各ＣＡＤ操作装置１５の各ノード１、ノード２…のアクション領域４３に記録する。
【００２０】
各ノード１、ノード２…にＩＤアドレスとＣＡＤ図面ライブラリ２６とを記録した制御プログラム情報４０は、遠隔制御装置側伝送装置１０を介して通信ネットワーク９上に乗せられて、ノードのアドレス領域４２に記録されたＩＤアドレスにより識別されるＣＡＤ図面作成制御装置５に伝送される。制御プログラム情報４０が伝送されたノードに対応するＣＡＤ図面作成制御装置５は、そのノードのアクション領域４３に記録されたＣＡＤ図面ライブラリ２６を取り込んで、ＣＡＤ操作装置通信制御機器６及びＣＡＤ図面作成装置３により構成されるＣＡＤ操作装置１５を制御してＣＡＤ操作装置１５のＣＡＤ図面作成を行うとともに、ＣＡＤ操作装置１５のＣＡＤ図面作成結果をノードのファームインフオ領域４４に記録する。
【００２１】
図４は、ＣＡＤ図面作成制御装置５と通信ネットワーク９を介して送られてきた制御プログラム情報４０との関係を示すフローチャートである。図４に示すように、各ＣＡＤ図面作成制御装置５は、通信ネットワーク９上を移動する制御プログラム情報４０のノードのアドレス領域４２に記録されたＩＤアドレスを常時監視して検索しており（Ｓ１）、そのノードに対応するＣＡＤ図面作成制御装置５が自己のＩＤアドレスを確認した場合には（Ｓ２）、ＣＡＤ図面作成制御装置５は、自己に割り振られたノードを認識してノードのアクション領域４３に記録されたＣＡＤ図面ライブラリを取り込んで、ＲＡＭ３４に記憶し（Ｓ３）、ＣＡＤ操作装置１５に送信する（Ｓ４）。
【００２２】
ＣＡＤ操作装置１５は、ＣＡＤ図面作成制御装置５に取り込まれたＣＡＤ図面ライブラリに従ってＣＡＤ図面作成を行うために、疑似的にＣＡＤ図面作成を行う（Ｓ５）。ＣＡＤ図面作成制御装置５は、このＣＡＤ図面作成結果情報を収集し（Ｓ６）、収集したＣＡＤ図面作成結果情報に基づいて仕様変更あるいは仕様追加あるいは設計上の矛盾が生じているか否かを判定する（Ｓ７）。ＣＡＤ図面作成結果に対して、予め想定しファームインフォ領域４４に記録された設計上の矛盾に相当しないと判断される場合（設計試行成功）には、そのＣＡＤ図面作成結果はノードのファームインフォ領域４４に記録される（Ｓ９）。
【００２３】
一方、ＣＡＤ図面作成結果に、予め想定しファームインフォ領域４４に記録された設計上の矛盾に相当すると判断される場合（設計試行失敗）には、仕様変更あるいは仕様追加あるいは設計上の矛盾の修復処理（以下、設計修復処理という）が実行されて、必要に応じてＣＡＤ図面ライブラリの再プランニング処理が行われる（Ｓ８）。ＣＡＤ操作装置１５において、設計修復処理情報を含むＣＡＤ図面作成結果がファームインフォ領域４４に記録される（Ｓ９）。なお、再プランニング処理は、制御プログラム情報４０のアクション領域４３に記録されたＣＡＤ図面ライブラリに対応策が存在する場合に限り、この対応策ＣＡＤ図面ライブラリに従って、上述のステップＳ５〜ステップＳ８の処理が繰り返されることにより行われる。
【００２４】
このようにノードのファームインフォ領域４４にＣＡＤ操作装置１５のＣＡＤ図面作成結果が記録された後に、制御プログラム情報４０は通信ネットワーク９上に送り出される（Ｓ１０）。これにより、ノードに対応するＣＡＤ操作装置１５のＣＡＤ図面作成作業は終了する。
【００２５】
ノードに対応するＣＡＤ操作装置１５のＣＡＤ図面作成作業の終了後、通信ネットワーク９上に送り出された制御プログラム情報４０は、そのノードに対応するＣＡＤ操作装置１５のＣＡＤ図面作成時と同様に通信ネットワーク９上を移動して、次のノードに対応するＣＡＤ図面作成制御装置５へ伝送され、ＣＡＤ操作装置１５のＣＡＤ図面検索もしくは登録の制御が行われる。このように、制御プログラム情報４０がＣＡＤ図面作成対象の各ＣＡＤ操作装置１５のＣＡＤ図面作成が行われて、このＣＡＤ図面作成の結果は各ノード１、ノード２…のファームインフォ領域４４に記録される。
【００２６】
このようにして、各ＣＡＤ操作装置１５のＣＡＤ図面作成結果を全てのノードのファームインフォ領域４４に記録した制御プログラム情報４０は、通信ネットワーク９上を移動してセンター装置１６のホストコンピュータ１４に伝送される。ホストコンピュータ１４に伝送された制御プログラム情報４０は、各ノード１、ノード２…のファームインフォ領域４４に記録されたＣＡＤ図面作成結果をホストコンピュータ１４に報告する（報告機能）。ホストユンピューター１４は、制御プログラム情報４０の報告機能により報告された各ＣＡＤ操作装置１５のＣＡＤ図面作成結果に基づいて、遠隔制御装置側記憶装置１１のＣＡＤ図面ライブラリのうち各ＣＡＤ操作装置１５毎に最適なＣＡＤ図面ライブラリを選択し、この最適なＣＡＤ図面ライブラリを各ノード１、ノード２…のアクション領域４３にこのＣＡＤ図面ライブラリを再記録する。
【００２７】
このように、アクション領域４３にＣＡＤ図面ライブラリが再記録された制御プログラム情報４０は、再び、遠隔制御装置側伝送装置１０を介して通信ネットワーク９上に乗せられて、ＣＡＤ図面作成対象の各ＣＡＤ図面作成制御装置５に伝送される。これにより各ＣＡＤ操作装置１５の適切なＣＡＤ図面作成を行うことができる（最適ＣＡＤ図面ライブラリ選択機能）。
【００２８】
次に、制御プログラム情報４０の働きについて詳述する。図５は、通信ネットワーク９に繋がれたＣＡＤ図面作成制御装置５のハードウェア構成図である。各ＣＡＤ図面作成制御装置５（装置Ａ、装置Ｂ）は通信ネットワーク９に繋がれており、ＣＡＤ操作装置１５のＣＡＤ図面検索もしくは登録の制御を行う。各ＣＡＤ図面作成制御装置５は、デバイス１７に接統されたドライバ１８を制御するエージェントシステム制御装置１９を有している。制御プログラム情報４０は、通信ネットワーク９に乗せられて、ホストコンピュータ１４及び各ＣＡＤ図面作成制御装置５間を移動することとなる。
【００２９】
ホストコンピュータ１４から送り出された制御プログラム情報４０の各ノード１、ノード２…のアクション領域４３には、図３に示すようにＣＡＤ図面ライブラリが記録されている。このＣＡＤ図面ライブラリは、各ＣＡＤ図面作成制御装置５の有するエージェントシステム制御装置１９がデバイス１７に接続されたドライバ１８を制御することにより処理されて、ホストコンピュータ１４及び各ＣＡＤ図面作成制御装置５間を伝送する。
【００３０】
図６は、通信ネットワーク構成及び通信ネットワーク上を移動する制御プログラム情報（エージェント）４０の説明図である。図６に示すように、オペレータがホストコンピュータ１４において、各ＣＡＤ操作装置１５のＣＡＤ図面作成に必要なＣＡＤ図面作成作業を要求し選択すると、要求選択されたＣＡＤ図面作成作業に関するプログラムやデータを記録した制御プログラム情報４０が通信ネットワーク９に乗せられる。通信ネットワーク９に乗せられた制御プログラム情報４０は、通信ネットワーク９を介して、ホストコンピュータ１４及び各ＣＡＤ図面作成制御装置５間を移動することとなるが、この場合、制御プログラム情報４０は以下の過程を経ることとなる。
【００３１】
すなわち、図６に示すように、まず、制御プログラム情報４０はＣＡＤ図面作成における行動計画の立案を行うプランニングを行う。そして、その後、制御プログラム情報４０は立案した行動計画に従って通信ネットワーク９上を移動する。この制御プログラム情報４０は、最初にノード１に対応するＣＡＤ図面作成制御装置５へ移動して、ノード１のアクション領域４３に記録されているＣＡＤ図面ライブラリがドライバを介してデバイスに取り込まれる。ＣＡＤ操作装置１５は、デバイスに取り込まれたＣＡＤ図面ライブラリに従ってＣＡＤ図面作成が行われる。このとき、ＣＡＤ図面作成結果が設計基準を満たさない場合、あるいは建築基準法等の法規上の基準に違反する場合、さらには、設計上は位置ずれが発生する等の矛盾がある場合等の設計試行失敗である場合には、ＣＡＤ図面ライブラリの再プランニングが行われてＣＡＤ図面作成における行動計画が修正される。
【００３２】
例えば、ＣＡＤ図面作成の対象がエレベーターに関するＣＡＤ図面作成である場合には、ＣＡＤ図面作成作業以降におけるロープの経年変化、駆動モータ交換等による設計変更に対しても、ＣＡＤ図面ライブラリの再プランニングが行われてＣＡＤ図面作成における行動計画が修正されるので、有効に対処することができる。以下、ＣＡＤ図面作成の対象がエレベーターに関するＣＡＤ図面作成である場合について説明する。
【００３３】
このように、制御プログラム情報４０は、ＣＡＤ図面作成結果を制御プログラム情報４０のファームインフォ領域４４に記録した後に、ドライバを介して通信ネットワーク９に送り出される。制御プログラム情報４０は、上述の一連の作業を経て通信ネットワーク９上を駆け巡り、ＣＡＤ図面作成対象となる全てのＣＡＤ操作装置１５においてＣＡＤ図面作成作業を行って、全てのファームインフォ領域４４にＣＡＤ図面作成結果を記録した後に、ドライバによってホストコンピュータ１４に戻される。ホストコンピュータ１４に戻った制御プログラム情報４０は、各ノード１、ノード２…のファームインフォ領域４４に記録された各ＣＡＤ操作装置１５のＣＡＤ図面作成結果を、オペレータに報告するとともにホストコンピュータ１４の制御卓のディスプレイあるいはスピーカー等の報知手段により報知する。従って、上述のように働く制御プログラム情報４０は、ＣＡＤ図面作成作業の一部乃至全部を代行する仮想のＣＡＤ図面作成者等としての役目を果たすという性質を有する。ここで、ＣＡＤ図面作成者等は、ＣＡＤ図面登録者、ＣＡＤ図面検索者、ＣＡＤ図面作成者のことである。
【００３４】
図７は、第１の実施の形態におけるＣＡＤ図面作成システムでのＣＡＤ図面作成作業の流れを示すフローチャートである。まず、センター装置１６のホストコンピュータ１４において、ＣＡＤ図面作成者等は、ＣＡＤ図面作成対象の各ＣＡＤ操作装置１５のＣＡＤ図画作成装置５のＩＤアドレスを各ノード１、ノード２…のアドレス領域４２に記録するとともに、各ＣＡＤ図面作成装置３に対するＣＡＤ図面作成指示情報等を含むＣＡＤ図面ライブラリを各ノード１、ノード２…のアクション領域４３に記録する（Ｔ１）。各ノード１、ノード２…にＩＤアドレス及びＣＡＤ図面ライブラリを記録した制御プログラム情報４０は、センター装置１６のホストコンピュータ１４から遠隔制御装置側伝送装置１０を経由して通信ネットワーク９上に乗せられて（Ｔ２）、ノードに対応するＣＡＤ図面作成制御装置５に伝送される（Ｔ３）。
【００３５】
対応するノードのＣＡＤ図面作成制御装置５に制御プログラム情報４０が伝送されると、そのＣＡＤ図面作成制御装置５は、制御プログラム情報４０のうちＣＡＤ図面ライブラリを取り込んで、各ＣＡＤ操作装置１５に、このＣＡＤ図面ライブラリを伝送する。各ＣＡＤ操作装置１５は、伝送されたＣＡＤ図面ライブラリに従って、各ＣＡＤ操作装置１５のＣＡＤ図面作成作業を実行する（Ｔ４）。そして、ＣＡＤ図面作成作業の結果情報が収集されて（Ｔ５）、次のＣＡＤ図面作成指示情報を作成して（Ｔ６）、ＣＡＤ操作装置１５のＣＡＤ図面作成作業が完了したか否かをチェックする（Ｔ７）。ＣＡＤ図面作成作業が完了している場合には、ノード１に対応するＣＡＤ操作装置１５のＣＡＤ図面作成作業は終了する。
【００３６】
一方、ＣＡＤ図面作成作業が完了していない場合には、次のＣＡＤ図面作成指示情報に従って、ノードに対応するＣＡＤ操作装置１５の手順を制御して、ＣＡＤ図面作成者等はＣＡＤ図面作成作業を実行し、ＣＡＤ図面作成結果が収集されるというステップＴ４〜ステップＴ６の作業が繰り返されて、再度、ＣＡＤ図面作成作業が完了したか否かがチェックされる（Ｔ７）。ＣＡＤ図面作成作業が完了すると処理を終了する。
【００３７】
次に、ＣＡＤ図面作成制御装置５によるＣＡＤ操作装置１５のＣＡＤ図面検索もしくは登録の制御について詳述する。ＣＡＤ図面作成制御装置５のＲＡＭ３４には、制御プログラム情報４０から取り込んだ制御指示情報等のＣＡＤ図面ライブラリが書き込まれ、ＲＡＭ３４に書き込まれたＣＡＤ図面ライブラリは、各操作端末機４に伝送される。各操作端末機４は、この受信したＣＡＤ図面ライブラリに従ってＣＡＤ操作装置１５をＣＡＤ図面検索もしくは登録の制御する。ＣＡＤ操作装置１５はＣＡＤ図面検索もしくは登録の制御がなされて、そのＣＡＤ図面作成の結果は、ノードのファームインフォ領域４４に記録され、ＣＡＤ操作装置制御機器６及びＣＡＤ図面作成装置３からＣＡＤ図面作成制御装置５へ送られる。ファームインフォ領域４４にＣＡＤ図面作成結果が記録された制御プログラム情報４０は、ＣＡＤ操作装置側伝送制御装置７を介して通信ネットワーク９上に乗せられてＣＡＤ図面作成対象である次のＣＡＤ操作装置１５のＣＡＤ図面作成制御装置５に伝送されることとなる。
【００３８】
また、ＣＡＤ操作装置１５からＣＡＤ図面作成制御装置５に送られるＣＡＤ図面作成結果は、ＣＡＤ図面作成制御装置５のＲＡＭ３４に書き込まれるが、ＣＡＤ図面作成制御装置５のＣＰＵ３２は、ＲＡＭ３４に書き込まれたＣＡＤ図面作成結果と、ＥＥＰＲＯＭ３３に記憶されている通信プログラムとを照合し、必要に応じて他のデータを考慮して、ＲＡＭ３４に書き込まれたＣＡＤ図面作成結果のデータを編集する。この編集したＣＡＤ図面作成結果は、制御プログラム情報４０のファームインフォ領域４４に記録される。
【００３９】
以上の説明では、制御プログラム情報４０のアクション領域４３に記録されたＣＡＤ図面ライブラリに従ってＣＡＤ操作装置１５の擬似手順を行う場合について説明したが、例えば、各ＣＡＤ図面作成装置３から、設計矛盾が解消できずＣＡＤ操作装置１５にてＣＡＤ図面作成作業ができない状況である旨の報告を受けた場合には、そのノードのアクション領域４３に記録されたＣＡＤ図面ライブラリに従ったＣＡＤ図面作成処理を中断するようにしても良い。
【００４０】
以上説明したように、第１の実施の形態によれば、ＣＡＤ操作装置１５のＣＡＤ図面作成に関する制御プログラム情報４０が通信ネットワーク９上を移動して、各ＣＡＤ図面作成制御装置５間やホストコンピュータ１４と各ＣＡＤ図面作成制御装置５との間でＣＡＤ操作装置１５のＣＡＤ図面作成に関するデータの送受信を行うので、各ＣＡＤ操作装置１５のＣＡＤ図面作成作業の一部乃至全部を人間の手を借りることなく行うことができる。これにより、ＣＡＤ図面作成作業に伴う労力の軽減や各ＣＡＤ操作装置１５の負荷の軽減を図ることができるとともに、各ＣＡＤ操作装置のＣＡＤ図面作成は、各ＣＡＤ操作装置の特性に応じて迅速かつ効率的に行うことができる。
【００４１】
（第２の実施の形態）
図８は本発明の第２の実施の形態に係るＣＡＤ図面作成システムの構成図である。この第２の実施の形態は、センター装置１６のホストコンピュータ１４にマイコン５０を内蔵し、結果表示機能５１及び編集手順機能５２を有している。また、ホストコンピュータ１４にはキー入力部５３及びモニタ部５４が接続されている。マイコン５０により、ホストコンピュータ１４に送られてくるデータの送受信処理を行って、送受信処理されたデータをホストコンピュータ１４に接続されたモニタ部５４に画面として表示する。また、ＣＡＤ図面作成者等は、キー入力部５３及びモニタ部５４を用いて、ホストコンピュータ１４に送られてくるデータを監視し、このデータに対する適切な指示をＣＡＤ図面作成制御装置５に送るように構成されている。
【００４２】
これにより、センター装置１６のホストコンピュータ１４は、ホストコンピュータ１４に内蔵されたマイコン５０と、ＣＡＤ図面作成制御装置５と、通信ネットワーク９上を移動する制御プログラム情報４０とにより、ＣＡＤ操作装置１５のＣＡＤ図面作成の監視を行い、またＣＡＤ図面作成に必要な指示を各ＣＡＤ操作装置１５のＣＡＤ図面作成制御装置５に送ることができる。
【００４３】
また、ホストコンピュータ１４のマイコン５０は、制御プログラム情報４０の各ノード１、ノード２…のファームインフォ領域４４に記録された各ＣＡＤ操作装置１５のＣＡＤ図面作成結果に対して最適なＣＡＤ図面ライブラリを編集する結果編集機能５１と、編集手順機能５２に基づいて編集したＣＡＤ図面ライブラリを制御プログラム情報４０のファームインフォ領域４４に記録してＣＡＤ図面作成制御装置５に伝送する編集手順機能とを有している。
【００４４】
ＣＡＤ図面作成対象となる各ＣＡＤ操作装置１５のＣＡＤ図面作成制御装置５は、ホストコンピュータ１４から伝送された制御プログラム情報４０に記録されたＣＡＤ図面ライブラリを取り込んで、このＣＡＤ図面ライブラリに従ってＣＡＤ操作装置１５のＣＡＤ図面検索もしくは登録の制御を行う。ＣＡＤ操作装置１５は、エレベータに関するＣＡＤ図面作成に必要なかご重量やかご位置等のデータの送受信を行って、乗りかごやモータ等のＣＡＤ図面作成処理を行う。
【００４５】
このＣＡＤ図面作成時に、ＣＡＤ操作装置１５に乗り場操作盤の操作ボタン追加等の設計修復処理が発生した場合には、この設計修復処理に関する情報は、各ＣＡＤ操作装置１５からＣＡＤ図面作成制御装置５へ送られ、ＣＡＤ図面作成制御装置５は、設計修復処理情報を制御プログラム情報４０のファームインフォ領域４４に記録して、この制御プログラム情報４０をホストコンピュータ１４へ伝送する。ホストコンピュータ１４に伝送された設計修復処理情報を含む制御プログラム情報４０は、ホストコンピュータ１４に内蔵されているマイコン５０により受信処理されて、受信処理されたデータはホストコンピュータ１４に設けられたモニタ部５４に画面表示される。
【００４６】
これにより、ＣＡＤ図面作成者等は、ホストコンピュータ１４において、ＣＡＤ操作装置１５に発生する設計修復処理に対して容易に対処することができる。また、ＣＡＤ操作装置１５の設計修復処理情報を受信したホストコンピュータ１４は、結果編集機能５１に基づいて、ＣＡＤ操作装置１５に発生している設計修復処理に対処するために必要な指示を含むＣＡＤ図面ライブラリを編集作成する。このようにして編集作成されたＣＡＤ図面ライブラリは、編集手順機能５２に基づいて、制御プログラム情報４０のうち対応するノードのアクション領域４３に記録する。再度、設計修復処理が発生しているＣＡＤ操作装置１５のＣＡＤ図面作成制御装置５に伝送される。
【００４７】
従って、例えば、制御プログラム情報４０のノード２に対応するＣＡＤ図面作成装置３で寸法変更等の設計修復処理が発生した場合には、ホストコンピュータ１４のキー入力部５３における簡単なキー操作で、ＣＡＤ図面作成装置３における設計修復処理を確認することができる。また、ホストコンピュータ１４は、確認されたＣＡＤ図面作成装置３の設計修復処理に対して適切なＣＡＤ図面ライブラリを編集作成し、このＣＡＤ図面ライブラリを制御プログラム情報４０の対応するノードのアクション領域４３に記録する。この制御プログラム情報４０は、通信ネットワーク９を介して設計修復処理が発生しているＣＡＤ操作装置１５のＣＡＤ図面作成制御装置５に伝送されて、設計修復処理が発生しているＣＡＤ操作装置１５において編集作成されたＣＡＤ図面ライブラリに従ってＣＡＤ図面検索もしくは登録がなされる。
【００４８】
図９は、ＣＡＤ操作装置１５でのＣＡＤ図面メニューの一例を示す説明図である。図９に示すように、ＣＡＤ図面メニュー１２ａ、１２ｂ、１２ｃはＣＡＤ操作装置１５のＣＡＤ図面作成装置３の画面に表示される。ＣＡＤ図面メニュー１２ａは、「エレベーター」についての各ＣＡＤ図面名が記載されたメニューであり、ＣＡＤ図面作成者等は画面上でのクリック操作によりＣＡＤ図面メニュー１２ａにおける所望のＣＡＤ図面名を指定することができる。そして、例えば、「かご操作盤」をクリックすると、かご操作盤の寸法についての一覧表が記載されたＣＡＤ図面メニュー１２ｂが表示される。ＣＡＤ図面作成者等がこのＣＡＤ図面メニュー１２ｂにおいて、例えば「標準」をクリックすると、標準の乗り場操作盤の型番についての一覧表が記載されたＣＡＤ図面メニュー１２ｃが次に表示される。ＣＡＤ図面作成者等がこのＣＡＤ図面メニュー１２ｃにおいて、例えば「ＮＯ．○○××」をクリックすると、センター装置１６からＣＡＤ操作装置１５のＣＡＤ図面作成装置３に対して、この「ＮＯ．○○××」についての該当するかご操作盤に関するデータがダウンロードされることになる。
【００４９】
図１０は、センター装置１６で管理されるＣＡＤ図面要求をチェックするための作業工程図６６の記載内容についての説明図である。作業工程図６６は、センター装置１６で作成される。図１０に示すように、作業工程図６６は、「かご操作盤」、「表示装置配置」、…「操作ボタン配置」等の各作業工程のポイント毎に作成された複数枚の作業手順書６６ａ、６６ｂ、…６６ｎにより構成されている。これらの複数枚の作業手順書６６ａ、６６ｂ、…６６ｎにより、その作成タイミング及び要求者の許可条件がチェックされる。ここで、ＣＡＤ図面要求を受け付けるものについては、チェックＯＫのマークが入れられる。
【００５０】
ＣＡＤ図面作成者等は、このチェック結果を検討し、ＣＡＤ図面を検索あるいは登録しようとするのであれば、画面上での「確認」ボタンをクリックする。このクリックにより、チェック結果確認信号がセンター装置１６側へ送られる。センター装置１６は、このチェック結果確認信号を入力すると、データベースから該当ＣＡＤ図面情報を取り出し、これをＣＡＤ図面作成者等側へ送出する。ＣＡＤ図面作成者等は、その該当ＣＡＤ図面情報を確認し、オプション機能等の詳細情報を入手したい場合には、オプション機能を選択しクリックする。このクリックにより、再度チェック結果確認信号がセンター装置１６側へ送られる。センター装置１６は、このチェック結果確認信号を入力すると、データベースから該当ＣＡＤ図面のオプション機能等の詳細情報を取り出し、これをＣＡＤ図面作成者等側へ送出する。このような簡単な操作により、ＣＡＤ図面作成者等は所望のＣＡＤ図面情報を迅速に入手することができる。
【００５１】
図１１は、センター装置１６がＣＡＤ操作装置１５にデータを配信する場合のホストコンピュータ１４及び遠隔制御装置側記憶装置１１の詳細構成図である。センター装置１６を構成するホストコンピュータ１４は、ＣＡＤ図面作成者等チェック手段５５、ＣＡＤ図面メニュー配布手段５６、ＣＡＤ図面要求情報チェック手段５７を有し、遠隔制御装置側記憶装置１１には、ＣＡＤ図面データベース２２、ＣＡＤ図面作成者登録テーブル５８が格納されている。ＣＡＤ図面データベース２２には、ＣＡＤ図面メニュー１２ａ、１２ｂ、１２ｃを格納したＣＡＤ図面メニューファイル５９が格納されている。
【００５２】
図１２はセンター装置１６がＣＡＤ操作装置１５にデータを配信する場合のセンター装置１６の動作を示すフローチャートである。ＣＡＤ図面作成者等チェック手段５５は、遠隔制御装置側伝送装置１０の受信部を介してＣＡＤ操作装置１５のＣＡＤ図面作成装置３側からのＣＡＤ図面作成者等ＩＤ番号及びパスワードを入力し（Ｕ１）、さらにＣＡＤ図面作成者等が指定したＣＡＤ図面分類情報を入力する（Ｕ２）。
【００５３】
ＣＡＤ図面作成者等チェック手段５５は、この入力したＣＡＤ図面作成者等ＩＤ番号及びパスワードをＣＡＤ図面作成者等登録テーブル５８に記載されているものと照合し、ＣＡＤ図面作成者等が登録されている者であるか否かについて判別する（Ｕ３）。ＣＡＤ図面作成者等が登録されていない場合、ＣＡＤ図面作成者等チェック手段５５はそのＣＡＤ図面作成者等に対してのアクセスを拒否し、ＩＤ番号及びパスワードを入力（Ｕ１）へ戻る。
【００５４】
ＣＡＤ図面作成者等が登録されている場合、ＣＡＤ図面作成者等チェック手段５５は、ステップＵ２で入力したＣＡＤ図面分類情報に対応するＣＡＤ図面メニューを配布すべきことをＣＡＤ図面メニュー配布手段５６に対して指令する。ＣＡＤ図面メニュー配布手段５６は、この指令を受けるとＣＡＤ図面データベース２２のＣＡＤ図面メニューファイル５９から対応するＣＡＤ図面メニュー１２を取り出し、これを遠隔制御装置側伝送装置１０の送信部を介してＣＡＤ操作装置１５のＣＡＤ図面作成装置３へ送信する（Ｕ４）。
【００５５】
例えば、ＣＡＤ図面作成者等がＣＡＤ図面分類情報として「エレベーター」を入力している場合、ＣＡＤ図面メニュー配布手段５６は、図９に示したＣＡＤ図面メニュー１２ａをＣＡＤ図面作成者等側へ配布する。そして、ＣＡＤ図面作成者等は、かご操作盤についてのＣＡＤ図面の入手を希望するのであれば、画面に表示されたこのＣＡＤ図面メニュー１２ａにおいて矢印で示した「かご操作盤」の箇所をクリックする。そうすると、このクリックによりかご操作盤についてのオプション機能を含めたメニュー要求情報が遠隔制御装置側伝送装置１０の受信部を介してＣＡＤ図面メニュー配布手段５６に入力される。
【００５６】
ＣＡＤ図面メニュー配布手段５６は、このメニュー要求情報を受けるとＣＡＤ図面メニュー１２ｂをＣＡＤ図面メニューファイル１２から取り出し、これを遠隔制御装置側伝送装置１０の送信部を介してＣＡＤ操作装置１５のＣＡＤ図面作成装置３に送信する。
【００５７】
ＣＡＤ図面作成者等は、標準の乗り場操作盤を希望するのであれば、矢印の箇所をクリックする。矢印の箇所をクリックすると、ＣＡＤ図面メニュー配布手段５６から、ＣＡＤ図面メニュー１２ｃが送られ、これが画面上に表示されるので、ＣＡＤ図面作成者等は矢印で示した希望の型番「ＮＯ．．○○××」の箇所をクリックする。このクリックにより、型番「ＮＯ．○○××」の該当する部品に関するＣＡＤ図面要求情報が発生し、これが遠隔制御装置側伝送装置１０の受信部を介してＣＡＤ図面要求情報チェック手段５７に入力される。
【００５８】
ここで、図９においては図示を省略してあるが、ＣＡＤ図面メニュー１２ｃには、型番の他にも、どの作業工程のタイミングで使用するかの情報、ＣＡＤ図面作成者等がクリックすべき項目が記載されている。ＣＡＤ図面要求情報チェック手段５７は、このような項目を含めＣＡＤ図面作成者等が回答すべきものとされている全てのＣＡＤ図面要求情報が入力されているかどうかについて判別し（Ｕ５）、判別が「ＮＯ」の場合すなわち入力されていない情報が有る場合には、ＣＡＤ図面要求情報が不足している旨のメッセージを遠隔制御装置側伝送装置１０の送信部を介してＣＡＤ操作装置１５のＣＡＤ図面作成装置３側へ送信する。
【００５９】
ここで、ＣＡＤ操作装置１５側においては、ＣＡＤ図面作成者等はまず、通信ネットワーク９に接続された操作端末機４により、自己のパスワードとともに検索あるいは発録するＣＡＤ図面名を入力する。入力されたデータは、通信ネットワーク９を経由してセンター装置１６にアクセスされる。センター装置１６では、入力情報に基づき、予め登録された検索あるいは登録条件と照らし合わせて、入力された検索あるいは登録条件をチェックする。ここでいう検索あるいは登録条件は、ＣＡＤ図面種別、ＣＡＤ図面作成者等、機密度等である。特に機密度は、ＣＡＤ図面内容及びＣＡＤ図面作成者等に限定されず、その利用目的、使用条件等、幅広く指定されチェックされる。
【００６０】
この所定のチェック項目には、ＣＡＤ図面情報の提供を有償又は無償のいずれで行うかについての有償提供情報及び無償提供情報が記載されるとともに、図面の変更や修正する者及び当該図面利用時の利用者別に予め定める課金情報が登録される。この有償提供情報又は無償提供情報をチェック結果に含め、それに対応した課金を行う。
【００６１】
すなわち、ＣＡＤ図面作成システム１の利用許可対象者の拡大に伴って、異なる部門に対しては有償となるのが通例である。また、サービスという観点から見ると、これらの条件の他、同じ利用者であっても、ＣＡＤ図面の使用条件によっては、禁止／許可の別及び無償／有償の別を設けて、その指定が必要となる。
【００６２】
図１０において、作業手順書６６ａ、６６ｂ、…６６ｎ毎に、縦軸にＣＡＤ図面種別を並べ、横軸に対象部門を並べている。なお、ＣＡＤ図面種別については、機種別等の分類も行う。各テーブルの内容は機密度レベルで埋められ、機密度レベル及び各ＣＡＤ図面種別に応じて、公開／非公開及び有償／無償の別が定められる。さらに、ＣＡＤ図面作成者等については、不正に情報を入手あるいは破壊することを目的としてＣＡＤ図面を検索あるいは改変を企てたといったようなトラブルを起こした場合は、アクセス権の抹消等の措置が必要となる。トラブルを起こさないまでも、およそ関係無いと思われる利用者からのアクセスは禁止しなければならない。
【００６３】
以上説明したように、第２の実施の形態によれば、ホストコンピュータ１４の結果編集機能５１及び編集手順機能５２に基づいて、各ＣＡＤ操作装置１５に対する設計修復処理に対して迅速に対処することができる。つまり、各ＣＡＤ操作装置１５のカスタマイズ及び作成機能のレベルアップが通信ネットワーク９を介して、各ＣＡＤ操作装置１５の特性に応じて迅速に行うことができる。また、幅広い範囲の人が必要に応じて必要なレベルの必要とする部分のＣＡＤ図面を検索あるいは登録することができるとともに、適正にセキュリティ条件が確保され、ＣＡＤ図面内容の改変についても、利用者が気にすることなく運用管理されることが可能となる。
【００６４】
（第３の実施の形態）
図１３は本発明の第３の実施の形態に係るＣＡＤ図面作成システムの構成図である。この第３の実施の形態は、各ＣＡＤ操作装置１５のＣＡＤ図面作成装置３、各操作端末機４、センター装置１６のホストコンピュータ１４に報知手段６０を設け、ホストコンピュータ１４にプログラム補正手段６１を設けたものである。
【００６５】
報知手段６０は、ＣＡＤ図面作成に必要とされる複数の作業工程の各工程毎に、各ＣＡＤ操作装置１５のＣＡＤ図面作成の結果と、このＣＡＤ図面作成結果に対して最適な作成手順とを報知する。また、ホストコンピュータ１４のプログラム補正手段６１は、報知手段６０に基づいて報告された各ＣＡＤ操作装置１５のＣＡＤ図面作成結果を考慮して最適な作成手順を盛り込んだＣＡＤ図面ライブラリを制御プログラム情報４０に記録して、この制御プログラム情報４０を各ＣＡＤ操作装置１５のＣＡＤ図面作成制御装置５へ伝送する。
【００６６】
各ＣＡＤ図面作成装置３と各ＣＡＤ図面作成制御装置５との間に設けられた各操作端末機４は、音声案内装置あるいはディスプレイ装置等の報知手段６０を有しており、各操作端末機４は、ＣＡＤ図面作成制御装置５及び通信ネットワーク９を介してホストコンピュータ１４に接続されている。また、各ＣＡＤ図面作成装置３には、音声案内装置あるいはディスプレイ装置等の報知手段６１が設けられており、さらに、ホストコンピュータ１４にも音声案内装置あるいはディスプレイ装置等の報知手段６１が設けられている。各ＣＡＤ操作装置１５のＣＡＤ図面作成の結果と、このＣＡＤ図面作成結果に対して最適な作成手順は、上述の報知手段６１を介して報知されることとなる。
【００６７】
ＣＡＤ図面作成制御装置５は、ホストコンピュータ１４から伝送された制御プログラム情報４０に記録されたＣＡＤ図面ライブラリを取り込んで、該当のＣＡＤ操作装置１５のＣＡＤ図面検索もしくは登録の制御を行う。ＣＡＤ操作装置１５は、このＣＡＤ図面ライブラリに従って、ＣＡＤ操作装置１５のＣＡＤ図面作成に必要とされる複数の作業工程の各工程を実行する。
【００６８】
このように、第３の実施の形態では、分散コンピューティング環境を通信ネットワーク９上に実現させ、この分散コンピューティング環境下において個別設計が進められる。センター装置１６には、個別設計データを管理する図示省略のリポジトリーを有し、作業と工程（投入シーケンスと工数入力）を表わした作業工程図、例えば、ＣＰＭ（Ｃｒｉｔｉｃａｌ  Ｐａｔｈ  Ｍｅｔｈｏｄ）を作成し、このＣＰＭに応じてＣＰＭの情報及びインタフェースのデータ及び条件を持ち運ぶ媒体（エージェントである制御プログラム情報４０）を走らせ、各工程の連繋を実現する。
【００６９】
次に、ＣＡＤ図面作成作業時のＣＡＤ操作装置１５側でのオペレーションについて説明する。各ＣＡＤ操作装置１５のＣＡＤ図面作成に必要とされる複数の作業工程の各工程毎に、各操作端末機４、各ＣＡＤ図面作成装置３、あるいはホストコンピュータ１４に設置された報知手段６１において、各ＣＡＤ操作装置１５のＣＡＤ図面作成の結果及びこのＣＡＤ図面作成結果に対して最適な作成手順が報知される。
【００７０】
図１４は、本発明の第３の実施の形態におけるＣＡＤ図面作成作業時のＣＡＤ操作装置１５側における動作を示すフローチャートである。まず、各ＣＡＤ操作装置１５からＣＡＤ図面作成作業を開始するか否かの判断が要求される（Ｖ１）。この要求はＹＥＳもしくはＮＯで示されるので、ＣＡＤ図面作成者等はいずれかの判別を行う（Ｖ２）。このような判別ＹＥＳを選択すると、ＣＡＤ操作装置１５側において、「１：かご設計、２：かご操作盤設計、３：乗り場設計」という選択画面の表示がなされる（Ｖ３）。この選択画面表示に対して、ＣＡＤ図面作成者等は、１、２、３のいずれかを選択する（Ｖ４）。このような選択を行うと、ＣＡＤ操作装置１５側において、例えば以下の表示がなされる（Ｖ５）。
【００７１】
2004280235.tif 000003
このような表示の左側に表示された各項目に対してＮＧ項目があるかどうかをチェックして（Ｖ６）、１つでもＮＧ項目がある場合には、ＮＧ項目の修復作業をオペレーション側（ＣＡＤ図面作成作業者）において行うことになる（Ｖ７）。すなわち、再設計作業がＣＡＤ図面作成作業者等において行われ、この作業が完了したか否かが確認される。図１４の表示では「乗り場操作盤の配置」の項目がＮＧなので、ＣＡＤ操作装置１５側において「かご操作盤の配置再設計」の表示がなされる。この表示に対して、ＣＡＤ図面作成作業者等は乗り場操作盤の配置の再設計作業を行う。そして、この再設計作業が完了した否かを判定し（Ｖ８）、この再設計作業が完了しない場合には、再度、上述のステップＶ５からやり直す。
【００７２】
一方、乗り場操作盤の配置の再設計作業が完了した場合には（Ｖ９）、後述のＮＧ項目が無い場合と同様のＣＡＤ図面作成作業が継続して行われるとともに、再設計作業により作成された図面情報がファームインフォ領域４４に記録される。すなわち、上記表示にＮＧ項目がない場合やＮＧ項目の修復作業が完了した場合には（Ｖ９）、オペレーション側において、「作業中断／スキップ／継続」の表示がなされる（Ｖ１０）。この後は、表示に従って次の動作を指定することにより、各動作に進むことになる。
【００７３】
第３の実施の形態によれば、ＣＡＤ図面作成に必要とされる複数の作業工程の各工程毎に、各操作端末機４、各ＣＡＤ図面作成装置３、あるいはホストコンピュータ１４に設置された報知手段６０においてＣＡＤ図面作成結果が報知される。また、ホストコンピュータ１４は、ＣＡＤ図面作成結果に対して最適な作成手順を盛り込んだＣＡＤ図面ライブラリを制御プログラム情報４０に記録して、この制御プログラム情報４０をＣＡＤ図面作成制御装置５へ伝送するとともに、各操作端末機４、各ＣＡＤ図面作成装置３、あるいはホストコンピュータ１４に設置された報知手段６０において、この作成手順を報知する。
【００７４】
これにより、ＣＡＤ操作装置１５のＣＡＤ図面作成作業の一部を無人で自動的に行って、残りをＣＡＤ図面作成者等が行う場合には、ＣＡＤ図面作成の各作業工程におけるＣＡＤ図面作成結果及びその作成手順は各工程毎に報知されるので、各ＣＡＤ図面作成者等は、作業の進捗に合わせてＣＡＤ図面作成の結果及び最適な作成手順を効率的かつ確実に行うことができる。
【００７５】
（第４の実施の形態）
図１５は、本発明の第４の実施の形態に係るＣＡＤ図面作成システムの一部詳細構成図である。第４の実施の形態は、ＣＡＤ図面作成試行により仕様変更あるいは仕様追加がある場合に、その設計修復処理の種類に応じて、ＣＡＤ図面ライブラリの破棄や適切なＣＡＤ図面ライブラリヘの変更を行うようにしたものである。
【００７６】
図１５において、ＣＡＤ図面作成装置３は設計修復処理検出機能６２を有し、ＣＡＤ図面作成制御装置５は、設計修正処理判定機能６３および設計修復処理判定結果破棄記録機能６４を有し、選択切換装置８は設計修復処理発生時制御機能６５を有し、ＣＡＤ操作装置側記憶装置１３はＣＡＤ図面ライブラリ２６Ａを格納している。すなわち、ＣＡＤ操作装置側記憶装置１３に各ＣＡＤ操作装置１５の基本手順が盛り込まれたＣＡＤ図面ライブラリを格納し、各ＣＡＤ操作装置１５には、ＣＡＤ図面作成試行手順時にＣＡＤ操作装置１５に生じる設計修復処理の可否を検出する設計修復処理検出機能２が組込まれている。また、ＣＡＤ図面作成制御装置５には、ＣＡＤ図面作成試行手順が行われＣＡＤ操作装置１５の仕様変更あるいは仕様追加の可否を判定する設計修正処理判定機能６３と、設計修復処理判定機能６３による判定結果を制御プログラム情報４０のファームインフォ領域４４に記録する設計修復処理判定結果破棄記録機能６４とが組み込まれている。
【００７７】
さらに、選択切換装置８には、仕様変更あるいは仕様追加が否と判定された場合に、各ＣＡＤ図面作成制御装置５に伝送されたＣＡＤ図面ライブラリを破棄するとともに、判定結果に基づいて破棄されたＣＡＤ図面ライブラリが伝送される前のＣＡＤ図面ライブラリに従ってＣＡＤ操作装置１５のＣＡＤ図面作成を行うか、ＣＡＤ操作装置側記憶装置１３に格納されたＣＡＤ図面ライブラリに従ってＣＡＤ操作装置１５のＣＡＤ図面作成を行うかを判断して、その判断に基づいて各ＣＡＤ操作装置１５のＣＡＤ図面検索もしくは登録あるいは図面作成操作の制御を行う設計修復処理発生時制御機能６５が組み込まれている。
【００７８】
各ＣＡＤ操作装置１５は、ホストコンピュータ１４から伝送された制御プログラム情報４０に記録されたＣＡＤ図面ライブラリに従ってＣＡＤ図面作成が行われる前に、この伝送されたＣＡＤ図面ライブラリに基づくＣＡＤ図面作成試行手順が行われる。各ＣＡＤ図面作成制御装置５の設計修復処理判定機能６３は、このＣＡＤ図面作成試行手順の際に生じるＣＡＤ操作装置１５の仕様変更あるいは仕様追加を含む設計修復処理の可否を、ＣＡＤ操作装置１５の設計修復処理検出機能６２に基づいて判定する。
【００７９】
また、ＣＡＤ図面作成制御装置５の設計修復処理判定結果破棄記録機能６４は、設計修復処理判定機能６３に基づいてＣＡＤ操作装置１５に設計修復処理が生じていると判定した場合には、各ＣＡＤ図面作成制御装置５に伝送されたＣＡＤ図面ライブラリを破棄し、その設計修復処理に関する情報を報告情報として制御プログラム情報４０の自己のノードのファームインフォ領域４４に記録する。
【００８０】
また、選択切換装置８の設計修復処理発生時制御機能６５は、判定結果に基づいて、ＣＡＤ操作装置１５のＣＡＤ図面作成に関する手順を、破棄されたＣＡＤ図面ライブラリが伝送される前の手順に従って行うか、ＣＡＤ操作装置側記憶装置１３に格納された各ＣＡＤ操作装置１５の基本手順に従って行うか判断して、その判断に基づいて各ＣＡＤ操作装置１５のＣＡＤ図面検索もしくは登録の制御を行う。
【００８１】
次に、動作を説明する。ＣＡＤ図面作成対象となる各ＣＡＤ操作装置１５のＣＡＤ図面作成制御装置５は、ホストコンピュータ１４から伝送された制御プログラム情報４０に記録されたＣＡＤ図面ライブラリを取り込んで、このＣＡＤ図面ライブラリを各ＣＡＤ操作装置制御機器６及び各ＣＡＤ図面作成装置３に伝送する。各ＣＡＤ操作装置制御機器６及び各ＣＡＤ図面作成装置３から構成されるＣＡＤ操作装置１５は、このＣＡＤ図面ライブラリに従ってＣＡＤ図面作成が行われる。
【００８２】
このとき、ＣＡＤ操作装置１５の設計修復処理検出機能６２によってＣＡＤ操作装置１５の設計修復処理の可否が判定される。設計修復処理があると判定された場合には、各選択切換装置８は、ＣＡＤ操作装置１５のＣＡＤ図面作成に関する手順を、破棄されたＣＡＤ図面ライブラリが伝送される前のＣＡＤ図面ライブラリに従って行うか、ＣＡＤ操作装置側記憶装置１３に格納された各ＣＡＤ操作装置１５の基本手順に従って行うかいずれが適切かを判断して、いずれか適切なＣＡＤ図面ライブラリを選択する。選択切換装置８により選択されたＣＡＤ図面ライブラリは、ＣＡＤ図面作成制御装置５のＣＰＵ３２に読み込まれて、ＲＡＭ３４に順次記録される。
【００８３】
図１６は、第４の実施の形態におけるＣＡＤ図面作成システムでＣＡＤ図面作成試行手順が失敗の際に予め準備された基本手順に戻す場合の手順を示すフローチャートである。各ＣＡＤ図面作成装置３は、制御プログラム情報４０の各ノード１、ノード２…のファームインフォ領域４４が自己に対応する領域であるかどうかを割込処理要求があるか否かでチェックする（Ｗ１）、割込処理要求がない場合には、予め準備された基本手順にＣＡＤ図面ライブラリを戻す手順は終了する。一方、上述の割込処理要求がある場合には、ＣＡＤ図面ライブラリに関するデータがＣＡＤ操作装置側記憶装置１３に書き込まれる（Ｗ２）。その後、ＣＡＤ操作装置側記憶装置１３に記憶されているＣＡＤ図面ライブラリから適切なＣＡＤ図面ライブラリが検索されて（Ｗ３）、この検索されたＣＡＤ図面ライブラリに従ってＣＡＤ図面作成試行手順が行われる（Ｗ４）。
【００８４】
このようにして、行われるＣＡＤ図面作成試行手順においてＣＡＤ操作装置１５に設計修復処理が生じているか否か判定され（Ｗ５）、設計修復処理がないと判定された場合には、ＣＡＤ図面作成試行手順を終了させる。一方、設計修復処理があると判定された場合には、選択切換装置８は、ＣＡＤ操作装置側記憶装置１３に記憶されているＣＡＤ図面ライブラリの中から適切なＣＡＤ図面ライブラリを検索選択して、この選択したＣＡＤ図面ライブラリにＣＡＤ操作装置１５のＣＡＤ図面作成に関するＣＡＤ図面ライブラリを切り換えて（Ｗ６）、ＣＡＤ図面作成試行手順を終了させる。
【００８５】
第４の実施の形態によれば、ホストコンピュータ１４から伝送されたＣＡＤ図面ライブラリに従ってＣＡＤ操作装置１５のＣＡＤ図面作成を行う前に、この伝送されたＣＡＤ図面ライブラリに基づいて、ＣＡＤ操作装置１５のＣＡＤ図面作成試行手順を行ってＣＡＤ操作装置１５の設計修復処理の可否が判定される。また、このＣＡＤ操作装置１５の設計修復処理の種類に応じて、ＣＡＤ図面ライブラリの破棄や適切なＣＡＤ図面ライブラリヘの変更が行われるので、ＣＡＤ図面ライブラリに従って行われる各ＣＡＤ操作装置１５のＣＡＤ図面作成作業の効率性を高めることができる。
【００８６】
【発明の効果】
以上述べたように、本発明によれば、ＣＡＤ操作装置のＣＡＤ図面作成に必要とされる制御プログラム情報は各ＣＡＤ操作装置毎に適性化され、通信ネットワークを介しセンター装置から各ＣＡＤ図面作成制御装置へ伝送されるので、幅広い範囲の人が必要に応じて必要なレベルの必要とする部分のＣＡＤ図面の検索、作成及び登録を行うことができる。これにより、ＣＡＤ操作装置の設計に対する負荷を削減し、ＣＡＤ図面作成者の労力を軽減させることができる。また、各ＣＡＤ操作装置の設計条件に合わせカスタマイズ及び作成機能のレベルアップ情報が制御プログラム情報として通信ネットワークを介して、センター装置から各ＣＡＤ操作装置へ伝送されるので、カスタマイズ及び作成機能のレベルアップにかかる負荷を軽減し、逐次ＣＡＤ操作装置の機能がレベルアップされる。従って、ＣＡＤ図面作成者の労力も軽減させることができる。
【００８７】
さらには、分散コンピューティング環境下における個別設計において、適正にセキュリティ条件が確保し、対応した課金システムを構築することができるので、幅広い利用者が気にすることなくＣＡＤ図面内容の検索及び登録あるいは修正することが可能な環境を構築することができる。
【図面の簡単な説明】
【図１】本発明の第１の実施の形態に係るＣＡＤ図面作成システムの構成図。
【図２】本発明の第１の実施の形態における遠隔制御装置側記憶装置とホストコンピュータの詳細構成図。
【図３】本発明の第１の実施の形態における制御プログラム情報の説明図。
【図４】本発明の第１の実施の形態におけるＣＡＤ図面作成制御装置と通信ネットワークを介して送られてきた制御プログラム情報との関係を示すフローチャート。
【図５】本発明の第１の実施の形態における通信ネットワークに繋がれたＣＡＤ図面作成制御装置のハードウェア構成図。
【図６】本発明の第１の実施の形態における通信ネットワーク構成及び通信ネットワーク上を移動する制御プログラム情報の説明図。
【図７】本発明の第１の実施の形態におけるＣＡＤ図面作成システムでのＣＡＤ図面作成作業の流れを示すフローチャート。
【図８】本発明の第２の実施の形態に係るＣＡＤ図面作成システムの構成図。
【図９】本発明の第２の実施の形態におけるＣＡＤ操作装置でのＣＡＤ図面メニューの一例を示す説明図。
【図１０】本発明の第２の実施の形態におけるセンター装置で管理されるＣＡＤ図面要求をチェックするための作業工程図の記載内容についての説明図。
【図１１】本発明の第２の実施の形態におけるセンター装置がＣＡＤ操作装置にデータを配信する場合のホストコンピュータ及び遠隔制御装置側記憶装置の詳細構成図。
【図１２】本発明の第２の実施の形態におけるセンター装置がＣＡＤ操作装置にデータを配信する場合のセンター装置の動作を示すフローチャート。
【図１３】本発明の第３の実施の形態に係るＣＡＤ図面作成システムの構成図。
【図１４】本発明の第３の実施の形態におけるＣＡＤ図面作成作業時のＣＡＤ操作装置側における動作を示すフローチャート。
【図１５】本発明の第４の実施の形態に係るＣＡＤ図面作成システムの一部詳細構成図。
【図１６】本発明の第４の実施の形態におけるＣＡＤ図面作成システムでＣＡＤ図面作成試行手順が失敗の際に予め準備された基本手順に戻す場合の手順を示すフローチャート。
【符号の説明】
１…ＣＡＤ図面作成システム、３…ＣＡＤ図面作成装置、４…操作端末機、５…ＣＡＤ図面作成制御装置、６…ＣＡＤ操作装置制御機器、７…ＣＡＤ操作装置側伝送装置、８…選択切換装置、９…通信ネットワーク、１０…遠隔制御装置側伝送装置、１１…遠隔制御装置側記憶装置、１２…ＣＡＤ図面メニュー、１３…ＣＡＤ操作装置側記憶装置、１４…ホストコンピュータ、１５…ＣＡＤ操作装置、１６…センター装置、１７…デバイス、１８…ドライバ、１９…エージェントシステム制御装置、２０…図面チェック手段、２１…設計データ変換手段、２２…ＣＡＤ図面データベース、２３…設計データベース、２４…知識データベース、２５…推論エンジン、２６…ＣＡＤ図面ライブラリ、３１…内部回線、３２…ＣＰＵ、３３…ＥＥＰＲＯＭ、３４…ＲＡＭ、３５…通信モジュール、３６…Ｉ／Ｏインタフェース、４０…制御プログラム情報、４１…、４２…アドレス領域、４２ａ…ソースアドレス領域、４３…アクション領域、４４…ファームインフォ領域、５０…マイコン、５１…結果編集機能、５２…編集手順機能、５３…キー入力部、５４…モニタ部、５５…ＣＡＤ図面作成者等チェック手段、５６…ＣＡＤ図面メニュー配布手段、５７…ＣＡＤ図面要求情報チェック手段、５８…ＣＡＤ図面作成者登録テーブル、５９…ＣＡＤ図面メニューファイル、６０…報知手段、６１…プログラム補正手段、６２…設計修復処理検出機能、６３…設計修復処理判定機能、６４…設計修復処理判定結果破棄記録機能、６５…設計修復処理発生時制御機能、６６…作業工程図
【図１】
2004280235.tif 000004
【図２】
2004280235.tif 000005
【図３】
2004280235.tif 000006
【図４】
2004280235.tif 000007
【図５】
2004280235.tif 000008
【図６】
2004280235.tif 000009
【図７】
2004280235.tif 000010
【図８】
2004280235.tif 000011
【図９】
2004280235.tif 000012
【図１０】
2004280235.tif 000013
【図１１】
2004280235.tif 000014
【図１２】
2004280235.tif 000015
【図１３】
2004280235.tif 000016
【図１４】
2004280235.tif 000017
【図１５】
2004280235.tif 000018
【図１６】
2004280235.tif 000019